(57)【要約】【課題】  室内を照明する主光源の他に副光源を備え、利用者が副光源のまぶしさを感じにくい照明器具を提供する。【解決手段】  天井面１０ａから吊り下げされて使用される吊り下げ型の照明器具１Ａは、蛍光ランプからなる主光源１１と、主光源１１の上方周囲に設けられたセード４とを有している。セード４は、コード３の下端に設けられた基部２に固定され、主光源１１から上方に向かって照射された光を、床面側（図面下方）に向かって反射可能な形状に形成されている。セード４の上側の面には、例えば発光ダイオードからなる複数の副光源２１が配置されており、その照射方向は天井面１０ａに向かう方向となっている。【選択図】  図１
2005183035.tif 000002
【特許請求の範囲】
【請求項１】
室内を照明する主光源として設けられた第１の光源と、副光源として前記第１の光源よりも小さな光束に設けられた第２の光源とを備え、前記室内の天井面または側壁面に取り付けられて使用される照明器具において、
使用時の前記第２の光源の照射方向が、前記第１の光源の照射方向と異なる方向であることを特徴とする照明器具。
【請求項２】
前記天井面に取り付けられて使用され、使用時の前記第２の光源の照射方向が、前記天井面に向かう方向、または、前記天井面と略平行な方向である請求項１に記載の照明器具。
【請求項３】
前記第２の光源の前記照射方向は前記天井面に向かう方向である、請求項２に記載の照明器具。
【請求項４】
前記側壁面に取り付けられて使用され、使用時の前記第２の光源の照射方向が、前記側壁面または前記天井面に向かう方向である請求項１に記載の照明器具。
【請求項５】
前記第２の光源は発光ダイオード等の高輝度光源である、請求項１ないし４のいずれか１項に記載の照明器具。
【請求項６】
前記第２の光源はその照射方向が可変に設けられている、請求項１ないし５のいずれか１項に記載の照明器具。
【発明の詳細な説明】
【技術分野】
【０００１】
本発明は照明器具に関し、特に、２種類以上の光源を備えた室内用の照明器具に関する。
【背景技術】
【０００２】
室内用の照明器具として、天井面から吊り下げられるもの（吊り下げ型）や天井面に直接取り付けられるもの（直付け型）が広く使用されている。この種の照明器具は、一般に、例えば蛍光ランプのような光束の大きな第１の光源と、常夜灯のような相対的に光束の小さい第２の光源とを備えており、第１および第２の光源がいずれも床面に向かって照射するように構成されているものが多い。特に、第２の光源はその全光束が小さいため、その照射方向が床面に向かうように構成される。
【０００３】
近年、この第２の光源として、小型で消費電力が小さくしかも高輝度な点光源（例えば発光ダイオード）を用いた照明器具が提案されている（例えば特許文献１参照）。
【特許文献１】特開２００２―３１３１０６号公報
【発明の開示】
【発明が解決しようとする課題】
【０００４】
しかしながら、発光ダイオード等は例えば数万カンデラ毎平方メートルを超えるほどの高輝度な光源であるため、そのような光源が床面に向けて構成された照明器具では、室内の人が天井を見上げた際にまぶしさを感じる場合があった。特に、常夜灯として発光ダイオードが設けられた照明器具では、発光ダイオードの光が入眠する人に対して照射されることもあり、不快感を与えたり、入眠を妨げたりするおそれがある。
【０００５】
そこで本発明は、室内を照明する主光源の他に副光源を備え、利用者が副光源のまぶしさを感じにくい照明器具を提供することにある。
【課題を解決するための手段】
【０００６】
上記課題を解決するため、本発明の照明器具は、室内を照明する主光源として設けられた第１の光源と、副光源として前記第１の光源よりも小さな光束に設けられた第２の光源とを備え、前記室内の天井面または側壁面に取り付けられて使用される照明器具において、使用時の前記第２の光源の照射方向が、前記第１の光源の照射方向と異なる方向であることを特徴とする。
【０００７】
本発明によれば、第２の光源の照射方向が、第１の光源と異なる方向となるように構成されているため、第２の光源のみを点灯させる場合であっても、第２の光源からの光が室内の人に対して直接に照射されることがない。
【０００８】
天井面に取り付けられて使用される照明器具の場合、第２の光源の照射方向は、使用時に天井面に向かう方向、または、前記天井面と略平行な方向であってもよい。また、側壁面に取り付けられて使用される照明器具の場合、第２の光源の照射方向は、前記側壁面または前記天井面に向かう方向であってもよい。なお、本発明の照明器具は天井面に取り付けられるものであれば、直付け型であっても吊り下げ型であってもよい。
【発明の効果】
【０００９】
本発明の照明器具によれば、副光源として設けられた第２の光源からの光が室内の人に対して直接に照射されることがないため、室内の人に対してまぶしさを感じさせることがない。また、第２の光源から照射された光を間接光として利用して雰囲気のよい照明効果が得ることもできる。
【発明を実施するための最良の形態】
【００１０】
（第１の実施形態）
以下、本発明の実施の形態について図面を参照して説明する。図１は、本発明の第１の実施形態による照明器具の側面図を示す図である。
【００１１】
図１の照明器具１Ａは、天井面１０ａから吊り下げされて使用される吊り下げ型の照明器具であり、蛍光ランプで構成され室内を照明する主光源１１と、主光源１１の上方周囲に設けられたセード４と、主光源１１およびセード４を天井面１０ａから吊り下げると共に主電源１１等に電源を供給するコード３とを有している。なお、照明器具１Ａは、主光源１１を保持する保持部材、主光源１１等を点灯させるための点灯回路、およびスイッチ等（いずれも不図示）を収納した図示しない灯具本体を有している。灯具本体（不図示）は、セード４の内側に配置され、コード３から電源が供給されるように構成されている。
【００１２】
主光源１１は、室内を照明するものであれば特に限定されるものではなく、例えば白熱電球であってもよいが、本実施形態では環形の蛍光ランプで構成されている。主光源１１は、セード４内に配置された不図示の保持部材（ランプホルダー）によって保持されている。
【００１３】
セード４は、例えば樹脂材料からなり、コード３の下端に設けられた基部２に固定され、主光源１１から上方に向かって照射された光の一部を、床面側（図面下方）に向かって反射可能な形状に形成されている。なお、セード４の形状や取り付け位置は特に限定されるものではなく、種々変更可能である。
【００１４】
照明器具１Ａは、主光源１１の配置およびセード４の形状等によってその配光が調整されており、本実施形態では主光源１１から下方に照射された直接光と、主光源１１から上方に照射されセード４によって下方に反射された反射光（間接光）とが、床面側（図面下方）に向かう配光となっている。
【００１５】
セード４の上側の面には、例えば高輝度な点光源の発光ダイオードが副光源２１として複数個配置されており、その照射方向はいずれも天井面１０ａに向かう方向となっている。これにより、副光源２１から照射された光は天井面１０ａで反射され、間接光として床面側（図面下方）に照射される。副光源２１は、照明器具１Ａを例えば寝室に配置して副光源２１を常夜灯として用いる場合に明るすぎない程度に調整されている。
【００１６】
なお、副光源２１の取り付け位置および配置する数などは、特に限定されるものではなく、各副光源２１の輝度や、装飾性等を考慮して適宜変更すればよい。例えば、副光源２１をセード４上ではなく不図示の灯具本体に配置して、その副光源２１が露呈するように、セード４に例えば開口部を設けてもよい。このような構成とすることで、配線などの工程が不要となり、構造が簡素化すると共にセード４と不図示の灯具本体との組み立ても容易になる。
【００１７】
照明器具１Ａはまた、主光源１１および副光源２１の点灯を操作するための紐５を備えており、紐５は灯具本体（不図示）に設けられたスイッチ（不図示）に結び付けられている。これにより、紐５を下方に引くたびに主光源１１および副光源２１の点灯パターンが切換わるようになっている。点灯パターンは、例えば、主光源１１と副光源２１のうちの一方のみが点灯する形態の他にも、必要に応じて、主光源１１と副光源２１が同時に点灯する形態も含むように設定されている。
【００１８】
なお、スイッチ（不図示）は、必要に応じ、赤外線を用いたリモコンによって遠隔操作されスイッチングが行われるものであってもよい。
【００１９】
以上のように構成された本実施形態の照明器具１Ａによれば、主光源１１を消灯し副光源２１のみを点灯させると、副光源２１から照射された光が天井面１０ａに反射され、間接光として室内を照明する。副光源２１は、その照射方向が床面側（図面下方）に向かって配置されたものではないため、室内の人に対してまぶしさを感じさせることがない。また、副光源２１が発光ダイオードで構成されているため、例えば、常夜灯として一般に用いられている小型の白熱電球（１００Ｖ１ＣＴ）と比較すると、消費電力が低減し、しかも、長寿命であるから交換の頻度も少なくなる。
（第２の実施形態）
上述した照明器具１Ａ（図１参照）は吊り下げ型のものであったが、本発明は図２に示すような、直付け型の照明器具１Ｂにも適用可能である。
【００２０】
図２の照明器具１Ｂは、主光源（不図示）から照射された光を拡散するためのカバー１４と、カバー１４の外縁を支持するフレーム１２を有している。
【００２１】
カバー１４は、光を拡散可能な材料（例えば樹脂材料）からなり、内側に配置される主光源（不図示）を包囲する形状に形成され、その外縁は円形となっている。これにより、主光源（不図示）を点灯させると、主光源から照射された光はカバー１４によって拡散され、その拡散された光により室内が照明される。
【００２２】
フレーム１２は、カバー１４の外縁を支持可能な環状の部材からなり、カバー１４を支持すると共に天井面に直接に取り付け可能な構造となっている。フレーム１２の外周全体には、発光ダイオードからなる副光源２１が互いに等間隔となるように配置されている。各副光源２１は、その照射方向がフレーム１２の半径方向外側に向かう方向であって、天井面（不図示）と平行な方向、すなわち水平方向となるように設けられている。
【００２３】
なお、本実施形態においても副光源２１の数および取り付け位置などは種々変更可能であり、例えば、副光源２１を、カバー１４内に配置された図示しない灯具本体に取り付けてもよい。この場合、必要に応じて、カバー１４に開口部を設けて副光源２１からの光がカバー１４の外部に向かって照射されるようにしてもよい。
【００２４】
以上のように構成された本実施形態の照明器具１Ｂによれば、主光源（不図示）を消灯させ副光源２１のみを点灯させると、副光源２１から水平方向に照射された光の一部が天井面を照明し、天井面で反射することにより間接光として室内を照明する。照明器具１Ｂは、副光源２１の照射方向が天井面１０ａと平行な方向（水平方向）に設けられたものであり、床面側（図面下方）に向かって配置されたものではないため、室内の人に対してまぶしさを感じさせることがない。
【００２５】
なお、各副光源２１はその照射方向が調整自在に設けられていてもよい。例えば図２に示すように、各副光源２１の照射方向を、水平方向に対して上下方向それぞれ３０°に傾斜するように調整できるようにしてもよい。これにより照明器具１Ｂの配光を使用者の好みに応じて調整することができる。
（第３の実施形態）
本発明は天井面に取り付けられるものに限らず、図３に示すような、室内の壁に取り付けて使用されるものであってもよい。
【００２６】
図３の照明器具１Ｃは、白熱電球からなる主光源１１と、側壁面１０ｂに取り付けられ主光源１１を支持する基部２と、主光源１１および基部２を包囲する箱状のカバー２４を有している。カバー２４は、主光源１１から照射された光を拡散可能な材料で構成されている。
【００２７】
発光ダイオードからなる副光源２１は、カバー２４の上面および下面に配置されており、図示するように、その照射方向は側壁面１０ｂに向かう方向となっている。
【００２８】
本実施形態の照明器具１Ｃによれば、主光源１１を消灯させ副光源２１のみを点灯させると、副光源２１から照射された光が側壁面１０ｂを照明し、その光が間接光として室内を照明する。照明器具１Ｃは、その副光源２１の照射方向が側壁面１０ｂに向かう方向に設けられたものであるため、上述の実施形態と同様、室内の人に対してまぶしさを感じさせることがない。
【００２９】
なお、以上説明した各実施形態において副光源として発光ダイオードを用いたが、本発明はそれに限らず例えばショートアークランプのような、大きな光束と高い輝度とを併せ持つ光源を用いてもよい。
【図面の簡単な説明】
【００３０】
【図１】本発明の第１の実施形態による照明器具の側面図を示す図である。
【図２】本発明の第２の実施形態による照明器具を下面側からみた斜視図である。
【図３】本発明の第３の実施形態による照明器具の側面図を示す図である。
【符号の説明】
【００３１】
１Ａ、１Ｂ、１Ｃ  照明器具
２  基部
３  コード
４  セード
１４、２４  カバー
５  紐
１０ａ  天井面
１０ｂ  側壁面
１１  主光源
２１  副光源
【図１】
2005183035.tif 000003
【図２】
2005183035.tif 000004
【図３】
2005183035.tif 000005